(57)【要約】  被計量液体の所望の計量量を正確に吸い上げることができるマイクロピペット、マイクロピペットシステム、およびマイクロピペットシステムの使用方法を提供する。  一端に設けられた開口部１１を介して被計量液体を毛細管現象により吸い上げて収容する収容部１２を備え、収容部１２は光照射時に親水性を示す光触媒層１３が内部表面に形成されるマイクロピペット１と、光触媒層１３に向けて光を照射する照射手段２と、照射手段２の光の照射範囲を前記被計量液体の所望する計量量に応じて制御する制御手段３と、を備えるマイクロピペットシステム。
2010086977.tif 000002
【特許請求の範囲】
【請求項１】
一端に設けられた開口部を介して被計量液体を毛細管現象により吸い上げて収容する収容部であって、光照射時に親水性を示す光触媒層が内部表面に形成される収容部を有するマイクロピペットと、
前記光触媒層に向けて光を照射する照射手段と、
前記照射手段の光の照射範囲を前記被計量液体の所望する計量量に応じて制御する制御手段と
を含む、マイクロピペットシステム。
【請求項２】
一端に設けられた開口部を介して被計量液体を毛細管現象により吸い上げて収容する収容部であって、光照射時に親水性を示す光触媒層が内部表面に形成される収容部を有する、マイクロピペット。
【請求項３】
前記収容部は、前記光触媒層が内径の表面に沿って形成され、一端が開口部として開口する円管状の構造からなる、請求の範囲第２項に記載のマイクロピペット。
【請求項４】
前記収容部は、前記光触媒層が内側の表面に沿って形成され、一端が開口部として開口する角管状の構造からなる、請求の範囲第２項に記載のマイクロピペット。
【請求項５】
請求の範囲第２項に記載のマイクロピペットと、
前記光触媒層に向けて光を照射する照射手段と、
を含む、マイクロピペットシステム。
【請求項６】
前記照射手段は、前記マイクロピペットにおける前記被計量液体の吸い上げ方向に沿って前記マイクロピペットと一体的に設けられる、請求の範囲第５項に記載のマイクロピペットシステム。
【請求項７】
請求の範囲第２項に記載のマイクロピペットと、
前記光触媒層への光を遮る遮光手段と
を含む、マイクロピペットシステム。
【請求項８】
さらに、前記遮光手段の光の遮光範囲を前記被計量液体の所望する計量量に応じて制御する制御手段を含む、請求の範囲第７項に記載のマイクロピペットシステム。
【請求項９】
一端に設けられた開口部を介して被計量液体を毛細管現象により吸い上げて収容する収容部であって、光照射時に親水性を示す光触媒層が内部表面に形成される収容部を備えるマイクロピペットの使用方法であって、
前記光触媒層に向けて光を照射し、前記光触媒層を親水性にし、
前記被計量液体を毛細管現象により吸い上げて収容する
ことを含む、マイクロピペットの使用方法。
【請求項１０】
さらに、前記光触媒層に照射される光を遮り、前記光触媒層を疎水性にし、
前記収容された被計量液体を前記開口部より吐出させる
ことを含む、請求の範囲第９項に記載のマイクロピペットの使用方法。
【発明の詳細な説明】
【技術分野】
【０００１】
本開示は、マイクロピペット、マイクロピペットシステム、およびマイクロピペットの使用方法に関する。
【背景技術】
【０００２】
従来、生化学の分野などにおいて、マイクロリットル（μｌ）単位の微量の液体を計量するピペットとしてマイクロピペットが用いられている。マイクロピペットは、一般に、被計量液体を計量するために、一端に設けられた開口部を有する細いガラス管を被計量液体に入れて、毛細管現象によって被計量液体を吸い上げて収容部に収容する。そして、マイクロピペットは、ガラス管を被計量液体から取り出すことで吸い上げが止まり、マイクロピペットにマークされた目盛りを読むことによって収容部に収容した被計量液体を計量することができる（たとえば、特許文献１参照）。
【先行技術文献】
【０００３】
【特許文献１】特開平０５−１８４９４９号公報
【発明の開示】
【発明が解決しようとする課題】
【０００４】
しかしながら、従来のマイクロピペットは、被計量液体の吸い上げを止める作業を、ユーザ自身がマイクロピペットの計量の目盛りを自分の目で見ながら行っていたため、被計量液体の所望の計量量を正確に吸い上げることが困難であるという問題点があった。【０００５】
そこで、上記問題点を解決し、被計量液体の所望の計量量を正確に吸い上げることができる新しいマイクロピペット、マイクロピペットシステム、およびマイクロピペットシステムの使用方法を提供することが望まれる。
【課題を解決するための手段】
【０００６】
本開示のマイクロピペットは、一端に設けられた開口部を介して被計量液体を毛細管現象により吸い上げて収容する収容部であって、光照射時に親水性を示す光触媒層が内部表面に形成される収容部を有する。【０００７】
本開示のマイクロピペットシステムは、上記のマイクロピペットと、前記光触媒層に向けて光を照射する照射手段と、前記照射手段の光の照射範囲を前記被計量液体の所望する計量量に応じて制御する制御手段とを含む。【０００８】
前記収容部は、前記光触媒層が内径の表面に沿って形成され、一端が開口部として開口する円管状の構造からなることができ、または前記光触媒層が内側の表面に沿って形成され、一端が開口部として開口する角管状の構造からなることができる。【０００９】
さらに、本開示のマイクロピペットシステムは、上記のマイクロピペットと、前記光触媒層への光を遮る遮光手段とを含むことができ、また、前記遮光手段の光の遮光範囲を前記被計量液体の所望する計量量に応じて制御する制御手段を含むこともできる。【００１０】
さらに、本開示のマイクロピペットシステムは、上記のマイクロピペットと、前記光触媒層に向けて光を照射する照射手段を有することができ、前記照射手段は、前記マイクロピペットにおける前記被計量液体の吸い上げ方向に沿って前記マイクロピペットと一体的に設けることができる。【００１１】
本開示のマイクロピペットシステムの使用方法は、一端に設けられた開口部を介して被計量液体を毛細管現象により吸い上げて収容する収容部であって、光照射時に親水性を示す光触媒層が内部表面に形成される収容部を有するマイクロピペットの使用方法であって、前記光触媒層に向けて光を照射し、前記光触媒層を親水性にし、前記被計量液体を毛細管現象により吸い上げて収容する、ことを含む。【００１２】
さらに、本開示のマイクロピペットシステムの使用方法は、前記光触媒層に照射される光を遮り、前記光触媒層を疎水性にするステップと、前記収容された被計量液体を前記開口部より吐出させるステップと、を含むことができる。
【図面の簡単な説明】
【００１３】
【図１】第１実施形態のマイクロピペットシステム１００を示す概略図である。
【図２】第１実施形態の照射手段２の光の照射状況を示す概略図である。
【図３】第１実施形態のマイクロピペットシステム１００の処理内容を示すフローチャートである。
【図４】第２実施形態のマイクロピペットシステム１００’を示す概略図である。
【図５】第２実施形態のマイクロピペットシステム１００’の処理内容を示すフローチャートである。
【符号の説明】
【００１４】
１  マイクロピペット、
２  照射手段、
３、５  制御手段、
４  遮光手段、
１１  開口部、
１２  収容部、
１３  光触媒層、
１００、１００’  マイクロピペットシステム。
【発明を実施するための最良の形態】
【００１５】
以下、本開示を実施するための好適な実施形態を、図面を参照しながら説明する。なお、各図面が示す部材の大きさや位置関係等は、説明を明確にするため誇張していることがある。
＜第１実施形態＞【００１６】
図１は、本開示の第１実施形態に係るマイクロピペットシステム１００の概略構成を示すブロック図である。【００１７】
マイクロピペットシステム１００は、図１に示すように、マイクロピペット１、光を照射する照射手段２、照射手段２の光の照射範囲を制御する制御手段３を備える。【００１８】
マイクロピペット１は、マイクロリットル単位の微量の液体を計量するための器具であって、一端に設けられた開口部１１を介して被計量液体を毛細管現象により吸い上げて収容する収容部１２を備える。また、マイクロピペット１は、被計量形態を吸い上げる際に、収容部１２内の空気を抜くための空気抜け穴（図示せず）を備える。【００１９】
収容部１２は、いわゆる円管状のガラス毛細管とすることができる。収容部１２の外側表面には、図１に例示するように、被計量液体を計量するための計量量に応じた目盛り（１０μｌ，２０μｌ，３０μｌ）がマークされている。また、収容部１２の内部表面（内側表面）には、光照射時に親水性を示す光触媒層１３が形成されている。なお、収容部１２は、上記のガラス毛細管に限られず、被計量液体を毛細管現象により吸い上げ可能であればよく、たとえば、プラスチックなどの材質を用いることもできる。【００２０】
開口部１１は、収容部１２の一端に設けられたものであって、被計量液体を収容部１２に吸引するための吸引口および非計量液体を収容部１２から吐出するための吐出口となる。開口部１１の円管の内径は、被計量液体を毛細管現象により吸い上げ可能な大きさであって、たとえば、１μｍとすることができる。開口部１１の円管の内径を、１μｍ以下とすることでマイクロピペット１の計量の精度を高めることができる。しかしながら、開口部１１の円管の内径は、１μｍに限られず、被計量液体を毛細管現象により吸い上げ可能な大きさであればよく、数１０μｍとすることもできる。【００２１】
光触媒層１３は、収容部１２の内部表面に光触媒を塗布した層であって、光触媒として、たとえば、二酸化チタン（ＴｉＯ２）を用いることができる。光触媒層１３は、紫外線などの光を照射すると、光触媒が光励起されて光触媒層１３の表面が高度に親水化され、光の照射を止めると、光触媒層１３の表面は疎水化される。なお、光触媒は、二酸化チタンに限られず、照射される光の種類に応じて適切な物質を用いることができる。【００２２】
ここで、内部表面に光触媒層１３を形成した収容部１２を備えるマイクロピペット１の製造方法について説明する。マイクロピペット１は、たとえば、板状のガラス板の表面に光触媒を塗布することで光触媒層１３を形成し、光触媒層１３が内部表面となるようにガラス板を円管状に形成し、ガラス板の長尺方向に引っ張って細くすることで製造することができる。なお、ガラスの表面に光触媒を塗布する方法は、たとえば、特開２００８−１４２６５９号公報に記載の方法を採用することができる。【００２３】
照射手段２は、光触媒層１３に向けて光を照射する光源である。照射手段２は、マイクロピペット１における被計量液体の吸い上げ方向に沿ってマイクロピペット１と一体的に設けることができる。照射手段２をマイクロピペット１に取り付ける方法は、たとえば、バンドや取付具で双方を固定するなど種々の方法を用いることができる。また、照射手段２は、図２に示すように、複数の光源２１ａ〜２１ｃを含み、複数の光源２１ａ〜２１ｃは、マイクロピペット１における被計量液体の吸い上げ方向と平行に並んで配置され、それぞれが前記吸い上げ方向に沿って配された光触媒層１３の領域Ａ〜Ｃに向けて紫外線などの光を照射する。光触媒層１３の領域Ａ〜Ｃは、収容部１２にマークされた目盛りにそれぞれ対応する。光源２１ａ〜２１ｃは、たとえばレーザ光源を用いることで、マイクロピペット１の長尺方向に対して垂直に光を照射して、光触媒層１３における親水性を示す領域と疎水性を示す領域とを正確に区別することができるように構成される。なお、本実施形態では光源の数を３つとしているが、光源の数は、被計量液体の計量量などに応じて適宜変更することができる。【００２４】
制御手段３は、照射手段２の光の照射範囲を被計量液体の所望する計量量に応じて制御するものであって、ケーブルを介して照射手段２と接続する。すなわち、制御手段３は、被計量液体の所望する計量量に応じて、複数の光源２１ａ〜２１ｃのうちマイクロピペット１の開口部１１側から所定の数の光源に光を照射させることで、照射手段２の光の照射範囲を制御する。たとえば、制御手段３は、照射手段２の光源２１ａ〜２１ｃのＯＮ／ＯＦＦを切り換える切換え手段として機能し、所望の計量量が１０μｌである場合、ユーザが制御手段３の「１０μｌ」スイッチ３１を押下することで光源２１ａに光を照射させ、所望の計量量が２０μｌである場合、ユーザが制御手段３の「２０μｌ」スイッチ３１を押下することで光源２１ａ，２１ｂに光を照射させ、所望の計量量が３０μｌである場合、ユーザが制御手段３の「３０μｌ」スイッチ３１を押下することで光源２１ａ，２１ｂ，２１ｃに光を照射させる。そして、ユーザが制御手段３の「ＯＦＦ」のスイッチ３１を押下することで光源２１ａ，２１ｂ，２１ｃによる光の照射がＯＦＦとなる。なお、制御手段３は、光源２１ａ〜２１ｃのＯＮ／ＯＦＦを制御できればよく、上記制御手段３の構造に限られない。また、制御手段３は、照射手段２とケーブルを介して接続される場合に限られず、制御手段３を、マイクロピペット１および照射手段２とともに一体化することもできる。【００２５】
以上のように構成されるマイクロピペットシステム１００の使用方法を、以下に説明する。【００２６】
図３は、第１実施形態のマイクロピペットシステム１００の使用方法を示すフローチャートである。【００２７】
まず、ユーザは、被計量液体の所望の計量量に応じて所定の光源に光を照射させるように制御手段３を操作する（ステップＳ１００）。すなわち、ユーザは、たとえば、被計量液体を２０μｌ計量したい場合、照射手段２の光源２１ａ，２１ｂに光を照射させるように制御手段３の「２０μｌ」のスイッチ３１を押下する操作を行う。光源２１ａ，２１ｂから光が照射されることによって、光触媒層１３の領域Ａ，Ｂが疎水性から親水性に変化する。なお、ユーザは、光触媒層１３の領域Ａ，Ｂが親水性に変化するまでの一定時間、待機する。【００２８】
次いで、ユーザは、光触媒層１３が光照射された状態のまま、マイクロピペット１の開口部１１を被計量液体に入れる（ステップＳ１０１）。マイクロピペット１の開口部１１を被計量液体に入れることで、開口部１１を介して被計量液体が毛細管現象により吸い上げられて収容部に収容される。このとき、被計量液体は、開口部１１から親水性を示す光触媒層１３の領域まで吸い上げられる一方、疎水性を示す光の領域には進入しないため、吸い上げが自動的に止まる。【００２９】
次いで、ユーザは、マイクロピペット１の開口部１１を被計量液体から取り出す（ステップＳ１０２）。【００３０】
次いで、ユーザは、収容した被計量液体を吐出させるため、光源の光照射を止めるように制御手段３を操作する（ステップＳ１０３）。すなわち、ユーザは、照射手段２の光源２１ａ，２１ｂに光の照射を止めるように制御手段３の「ＯＦＦ」のスイッチ３１を押下する操作を行う。光源２１ａ，２１ｂからの光照射が止まることによって、光触媒層１３の領域Ａ，Ｂが親水性から疎水性に変化し、収容部１１に収容されていた被計量液体が開口部１１を介して吐出される。なお、ユーザは、たとえば、段階的に光源２１ｂ，２１ａからの光の照射を止めるように制御手段３を操作してもよく、この場合、制御手段３の「１０μｌ」のスイッチ３１を押下し、続いて「ＯＦＦ」のスイッチ３１を押下することで、１０μｌずつを分けて被計量液体を吐出させることもできる。
以上のように、第１実施形態のマイクロピペットシステム１００によれば、収容部１１の内部表面に形成された光触媒層１３に対して光を照射することによって、照射された領域の光触媒層が親水性になり、その親水性となった領域まで自動的に被計量液体が吸い上げられるため、光の照射範囲を制御することで、被計量液体の所望の計量量を正確に吸い上げることができる。また、被計量液体は親水性を示す領域と疎水性を示す領域との境界で自動的に止まるため、ユーザが、計量量を自分の目で確認しながら行うという手間を省くことができる。【００３１】
また、マイクロピペットシステム１００は、照射手段２によって常に一定の光を光触媒層１３に照射することができるため、光触媒を安定して光励起させることができる。【００３２】
さらに、マイクロピペットシステム１００は、照射手段２をマイクロピペット１における被計量液体の吸い上げ方向に沿ってマイクロピペット１と一体的に設けることで、光触媒層１３への光の照射をより確実に行うことができる。
＜第２の実施形態＞【００３３】
第２実施形態のマイクロピペットシステム１００’は、照射手段からの光を遮光する遮光手段を備える。【００３４】
マイクロピペットシステム１００’は、図４に示すように、マイクロピペット１、照射手段２、遮光手段４、制御手段５を備える。なお、遮光手段４、および制御手段５以外は、第１実施形態と同一の構成要素とすることができるので、その説明は省略する。ただし、第２実施形態において、照射手段２は、複数の光源を含む構成に限られず、たとえば、１つの光源とすることもできる。【００３５】
遮光手段４は、マイクロピペット１と照射手段２との間に配置され、照射手段２からの光触媒層１３への光を遮るマスクとして機能する。遮光手段４は、たとえば、光を遮る遮光板と、マイクロピペット１の長尺方向に前記遮光板をスライド可能な駆動手段（図示せず）とによって構成される。なお、遮光手段４は、たとえば、マイクロピペット１における被計量液体の吸い上げ方向に沿ってマイクロピペット１と一体的に設けることができ、この場合、照射手段２から光触媒層へ照射される光をより確実に遮光することができる。【００３６】
制御手段５は、遮光手段４の光の遮光範囲を非計量液体の所望する計量量に応じて制御するものである。制御手段５は、被計量液体の所望する計量量に応じて、遮光板をマイクロピペット１の長尺方向にスライド移動させることで、照射手段２からの光の遮光範囲を制御する。たとえば、所望の計量量が１０μｌである場合、ユーザが制御手段５の「１０μｌ」のスイッチ５１を押下することで、遮光板が光触媒層の領域ＢおよびＣを覆うように駆動手段によってスライドされ、所望の計量量が２０μｌである場合、ユーザが制御手段５の「２０μｌ」のスイッチ５１を押下することで、遮光板が光触媒層の領域Ｃを覆うように駆動手段によってスライドされ、所望の計量量が３０μｌである場合、ユーザが制御手段５の「３０μｌ」のスイッチ５１を押下することで、遮光板が光触媒層の領域Ａ，Ｂ，Ｃ以外の領域を覆うように駆動手段スライドされる。そして、制御手段５の「ＯＦＦ」のスイッチ５１を押下することで遮光板は領域Ａ，Ｂ，Ｃを全て覆うように移動される。なお、制御手段５は、遮光板を移動させる制御ができればよく、上記制御手段５の構造に限られない。【００３７】
以上のように構成されるマイクロピペットシステム１００’の使用方法を、以下に説明する。【００３８】
図５は、第２実施形態のマイクロピペットシステム１００’の使用方法を示すフローチャートである。なお、以下の処理では、少なくとも光触媒層１３の計量可能な領域Ａ，Ｂ，Ｃに対して照射手段２が光を照射しているものとする。【００３９】
まず、ユーザは、被計量液体の所望の計量量に応じて光触媒層１３への光を遮断させるように制御手段５を操作する（ステップＳ２００）。すなわち、ユーザは、たとえば、被計量液体を２０μｌ計量したい場合、遮光板が光触媒層１３の領域Ｃへの光を遮光するように制御手段５の「２０μｌ」のスイッチ５１を押下する操作を行う。光触媒層の領域Ｃへの光が遮光され、かつ、光触媒層１３の領域Ａ，Ｂに光が照射されることによって、光触媒層１３の領域Ａ，Ｂが親水性に変化するまでの一定時間、待機する。【００４０】
なお、処理Ｓ２０１〜Ｓ２０３は、第１実施形態の処理Ｓ１０１〜Ｓ１０３と同様にすることができるので、その説明は省略する。【００４１】
以上のように、第２実施形態のマイクロピペットシステム１００’によれば、第１実施形態のマイクロピペットシステム１００の効果に加えて、光触媒層１３に光を照射させない領域を遮光手段４で完全に光を遮光することによって、親水性を示す領域と疎水性を示す領域との境界を明確に分けることができ、より高精度な計量を可能にすることができる。
＜変形例１＞【００４２】
以上のように本開示の好適な実施形態について説明したが、本開示は、以上の実施形態に限定されるべきものではなく、特許請求の範囲に表現された思想および範囲を逸脱することなく、種々の変形、追加、および省略が当業者によって可能である。【００４３】
たとえば、上記実施形態のように、本開示は、照射手段２を必ずしも備える必要はなく、太陽光や部屋の蛍光灯などの光を利用することもできる。この場合、被計量液体の計量量に応じて光の遮光領域を形成するために、たとえば、光を通さないキャップをマイクロピペット１に装着させたり、または、黒のテープをマイクロピペット１に巻くことなど種々の方法を用いることができる。
＜変形例２＞【００４４】
また、上記実施形態では、マイクロピペット１と照射手段２とが一体的に設けられる場合について説明したが、これに限られず、それぞれ分離して配置することもできる。すなわち、照射手段２に用いる光源が指向性を有する光を照射するのであれば、照射手段２をマイクロピペット１に追随するように制御することで、上述の効果を得ることができる。また、照射手段２は、上述の複数の光源を備えるものに限られず、たとえば、１つの光源を用いて、その光源の光の照射幅をマイクロピペット１の長尺方向に被計量液体の所望する計量量に応じて調節することもできる。
＜変形例３＞【００４５】
さらに、上記実施形態では、収容部１２は円管状の構造の場合を説明したが、これに限られず、たとえば、収容部１２は角管状の構造とすることもできる。角管状の収容部は、たとえば、光触媒層がそれぞれの少なくとも１つの面に形成された２枚のガラスを、所定の間隔をもたせて光触媒層が形成された面を対向させて重ね合わせ、前記２枚のガラスの少なくとも一端を開口部として開口させた構造とすることができる。この場合、２枚のガラスを重ね合わせるとき、２枚のガラス間に均一のナノ粒子を配することで、ガラスの間隔を均一に保って収容部１２を製造することができる。なお、このような均一のナノ粒子としては、たとえば、特開２００４−０７０１０１号公報に記載のナノ粒子を採用することができる。
＜変形例４＞【００４６】
さらに、上記実施形態では、収容部１２の内部表面に光触媒層が形成される場合を説明したが、これに限られず、たとえば、収容部１２そのものが光触媒層１３の特性を有するように、収容部１２を構成する物質として、光触媒を混合した成分を有するガラスを用いることもできる。
＜変形例５＞【００４７】
さらに、上記実施形態では、収容部１２の外側表面に計量量に応じた目盛りがマークされている場合を説明したが、必ずしも目盛りがマークされている必要はなく、たとえば、予め照射手段または遮光手段の制御量と、マイクロピペット１の計量量との関係を調査しておくことで、被計量液体を正確に計量することができる。
【図１】
2010086977.tif 000003
【図２】
2010086977.tif 000004
【図３】
2010086977.tif 000005
【図４】
2010086977.tif 000006
【図５】
2010086977.tif 000007
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
一端に設けられた開口部を介して被計量液体を毛細管現象により吸い上げて収容する収容部であって、光照射親水性を示す光触媒層が内部表面に形成される収容部を有するマイクロピペットと、
前記光触媒層に照射される光の照射範囲を前記被計量液体の所望する計量量に応じて制御する制御手段と、
を含む、マイクロピペットシステム。
【請求項２】
前記光触媒層に向けて光を照射する照射手段をさらに含む、請求項１に記載のマイクロピペットシステム。
【請求項３】
前記照射手段は、前記マイクロピペットにおける前記被計量液体の吸い上げ方向に沿って前記マイクロピペットと一体的に設けられる、請求項２に記載のマイクロピペットシステム。
【請求項４】
前記収容部は、前記光触媒層が内径の表面に沿って形成され、一端が開口部として開口する円管状の構造からなる、請求項１〜３のいずれか１項に記載のマイクロピペットシステム。
【請求項５】
前記収容部は、前記光触媒層が内側の表面に沿って形成され、一端が開口部として開口する角管状の構造からなる、請求項１〜３のいずれか１項に記載のマイクロピペットシステム。
【請求項６】
一端に設けられた開口部を介して被計量液体を毛細管現象により吸い上げて収容する収容部であって、光照射親水性を示す光触媒層が内部表面に形成される収容部を有するマイクロピペットと、
前記光触媒層への光を遮る遮光手段と
前記遮光手段の光の遮光範囲を前記被計量液体の所望する計量量に応じて制御する制御手段と、
を含む、マイクロピペットシステム。
【請求項７】
一端に設けられた開口部を介して被計量液体を毛細管現象により吸い上げて収容する収容部であって、光照射に親水性を示す光触媒層が内部表面に形成される収容部を備えるマイクロピペットと、前記光触媒層に照射される光の照射範囲を制御する制御手段とを含む、マイクロピペットシステムの使用方法であって、
前記光触媒層に照射される光の照射範囲を前記被計量液体の所望する計量量に応じて制御することを含む、マイクロピペットシステムの使用方法。
【手続補正２】
【補正対象書類名】明細書
【補正対象項目名】００４４
【補正方法】変更
【補正の内容】
【００４４】
また、上記実施形態では、マイクロピペット１と照射手段２とが一体的に設けられる場合について説明したが、これに限られず、照射手段２に用いる光源が指向性を有する光を照射するのであれば、それぞれ分離して配置することもできる。また、照射手段２は、上述の複数の光源を備えるものに限られず、たとえば、１つの光源を用いて、その光源の光の照射幅をマイクロピペット１の長尺方向に被計量液体の所望する計量量に応じて調節することもできる。
【国際調査報告】
2010086977.tif 000008
2010086977.tif 000009
2010086977.tif 000010
2010086977.tif 000011
2010086977.tif 000012
2010086977.tif 000013